(57)【要約】【課題】振動、衝撃や外力が加わった場合であっても、可動部材が所定の位置から移動することを防止または抑制することができる遊技機を提供すること。【解決手段】可動部材７１と、可動部材７１を原点位置から移動させるための移動機構部７０と、可動部材７１を移動させるために前記移動機構部７０を動かすための制御を行う移動制御手段７８と、を備えるとともに、モータ７２の駆動に伴い回動する回動部材７７と、回動部材７７の一部から延設する延設部７７１と該延設部７７１から移動方向に対して垂直方向に突出する突出部７７２と、回動部材７７の回動に伴い突出部７７２が移動可能に挿入されるとともに突出部７７２の周縁の少なくとも一部が当接する挿入開口部７１６と、をさらに備え、回動部材７７から延設部７７１の延設方向と移動方向とが平行である場合に、可動部材７１が原点位置から移動することを抑制する。【選択図】図１３
2009195263.tif 000002
【特許請求の範囲】
【請求項１】
可動部材と、
該可動部材を所定の原点位置から所定の移動方向に向けて移動させるための移動機構部と、
前記可動部材を移動させるために前記移動機構部を動かすための制御を行う移動制御手段と、を備え、
前記可動部材および前記移動機構部に前記移動制御手段による移動制御以外の外部からの力によって前記可動部材が前記所定の原点位置から移動することを抑制する移動抑制手段が設けられており、
該移動抑制手段は、電気的駆動源の駆動に伴い回動する回動部材と、該回動部材の一部から延設する延設部と、該延設部から前記移動方向に対して垂直方向に突出する突出部と、前記回動部材の回動に伴い前記突出部が移動可能に挿入されるとともに前記突出部の周縁の少なくとも一部が当接する挿入開口部と、で構成され、
前記回動部材から前記延設部の延設方向と前記移動方向とが平行である場合に、前記可動部材が前記所定の原点位置から移動することを抑制することを特徴とする遊技機。
【請求項２】
可動部材と、
該可動部材を所定の原点位置から所定の移動方向に向けて移動させるための移動機構部と、
前記可動部材を移動させるために前記移動機構部を動かすための制御を行う移動制御手段と、を備え、
前記可動部材および前記移動機構部に前記移動制御手段による移動制御以外の外部からの力によって前記可動部材が前記所定の原点位置から移動することを抑制する移動抑制手段が設けられており、
該移動抑制手段は、電気的駆動源の駆動に伴い回動する回動部材と、該回動部材から前記移動方向に対して垂直方向に突出した突出部と、前記回動部材の回動に伴い前記突出部が移動可能に挿入されるとともに前記突出部の周縁の少なくとも一部が当接する挿入開口部と、で構成され、
前記回動部材の回動中心および前記突出部の中心を通過する直線と、前記移動方向とが平行である場合に、前記可動部材が前記所定の原点位置から移動することを抑制することを特徴とする遊技機。
【請求項３】
前記回動部材には、前記回動部材の回動中心から外側に向かって延設される延設部が形成され、前記突出部は前記延設部に形成されることを特徴とする請求項２に記載の遊技機。
【請求項４】
前記回動部材から前記延設部が延設する延設方向と、前記移動方向とが、平行である場合には、前記可動部材の前記所定の原点位置からの移動が抑制されることを特徴とする請求項３に記載の遊技機。
【請求項５】
前記移動機構部および前記可動部材のうち、一方には前記回動部材と前記突出部とが設けられ、他方には前記挿入開口部が設けられており、
前記可動部材が前記所定の原点位置にある状態において、前記移動抑制手段は、前記可動部材を前記移動方向に移動させるための前記回動部材の回動を固定する固定手段を備えており、前記外部からの力により前記可動部材が前記移動方向に移動する際には前記固定手段による前記回動部材の回動の固定および前記突出部の縁が前記挿入開口部の縁に当接することにより前記可動部材が前記所定の原点位置から移動することを抑制する構成であることを特徴とする請求項１から請求項４のいずれかに記載の遊技機。
【請求項６】
前記固定手段は、前記回動部材が所定の位置に軸支されていることおよび前記突出部の自重により構成されていることを特徴とする請求項５に記載の遊技機。
【請求項７】
前記突出部は、前記突出部の自重によって前記挿入開口部の縁に当接することを特徴とする請求項６に記載の遊技機。
【請求項８】
前記移動機構部は前記可動部材の後方側に配設されており、前記可動部材の前記移動方向は、前記可動部材および前記移動機構部の配設方向と交差する方向となるように構成されていることを特徴とする請求項１から請求項７のいずれかに記載の遊技機。
【発明の詳細な説明】
【技術分野】
【０００１】
本発明は、遊技機に関するものであり、例えば、パチンコ遊技機などの遊技機に関するものである。
【背景技術】
【０００２】
従来のパチンコ遊技機などの遊技機には、遊技盤に、所定の方向に移動する（たとえば左右方向や前後方向に移動する）可動役物が設けられるものがある（特許文献１参照）。このような可動役物は、モータなどの動力源によって、遊技状況などに応じて所定の方向に移動するように（たとえば、左右方向や前後方向に往復移動するように）制御される。
【０００３】
たとえば、前記特許文献１に記載の遊技機は、円弧状運動を行う第一可動役物と、所定の方向に往復移動を行う第二可動役物とを備える。この第一可動役物は、第一駆動モータと、この第一駆動モータの回転動力を円弧状運動に変換する第一変換機構とにより、遊技盤面を左右方向に往復移動することができる。また、第二可動役物は、第二駆動モータと、この第二駆動モータの回転動力を往復運動に変換する第二変換機構とにより、遊技盤面を前後方向に往復移動することができる。このように、これらの可動役物は、モータなどの動力源によって、所定の方向に往復移動することができる。
【０００４】
ところで、パチンコ遊技機などの遊技機の製造工程においては、遊技機を構成する各部材（各部品）は、前記の可動役物のような移動可能な部材も含めて、一般的に、それぞれ所定の位置に位置決めされて組み付けされる。すなわち、遊技機の完成直後においては、可動役物のような移動可能な部材であっても、所定の位置に位置決めされた状態にある。
【０００５】
そして、工場などにおいて製造され完成した遊技機は、遊技店などに出荷・搬送される。また、遊技店などにおいては、搬送された遊技機を設置する作業が行われる。完成した遊技機が搬送される際において、または遊技店などにおいて遊技機を設置する作業が行われる際において、遊技機に振動、衝撃や外力が加わることがある。例えば、工場や遊技店などにおける荷役時の遊技機への振動、衝撃や外力、工場などから遊技店などに搬送（輸送）する際の車両の振動、遊技店などにおける設置作業時の遊技機への外力、などが挙げられる。
【０００６】
このように、完成した遊技機に振動、衝撃や外力などが加わると、遊技機に組み込まれた部材が、振動、衝撃や外力などによって移動する（変位する）ことがある。特に、前記の可動役物のような可動部材は、所定の方向に移動できるように組み付けられているから、振動、衝撃や外力などによって、前記所定の位置決めされた位置から移動することがある。
【０００７】
遊技機に組み込まれた部材、特に可動部材（例えば可動役物のような移動可能な部材）が、搬送時や設置作業時などにおいて所定の位置から移動すると、例えば、次のような問題を生じることがある。
【０００８】
搬送時などにおいて可動役物が移動すると、遊技店などにおいて遊技機が設置された状態において、可動役物が、製造工程において位置決めされた所定の位置から移動（変位）していることになる。このため、このままでは、所定の位置に存在しない可動役物を正しく動作させることができなくなるおそれがある。また、所定の可動役物が所定の位置に位置決めされていないと、遊技者は、遊技盤面に存在する可動役物に対して違和感を感じるおそれがある。
【０００９】
【特許文献１】特開２００７−２９２５５号公報
【発明の開示】
【発明が解決しようとする課題】
【００１０】
前記実情に鑑み、本発明が解決しようとする課題は、製造後から遊技店などにおいて設置作業が完了するまでの間に、振動、衝撃や外力が加わった場合であっても、可動部材が所定の位置から移動（変位）することを防止または抑制することができる遊技機を提供すること、特に、荷役時、搬送時（輸送時）や遊技店などにおける設置作業時において、振動、衝撃や外力などが加わった場合であっても、可動部材が移動（変位）することを防止または抑制することができる遊技機を提供することである。
【課題を解決するための手段】
【００１１】
前記課題を解決するため、本発明は、可動部材と、該可動部材を所定の原点位置から所定の移動方向に向けて移動させるための移動機構部と、前記可動部材を移動させるために前記移動機構部を動かすための制御を行う移動制御手段と、を備え、前記可動部材および前記移動機構部に前記移動制御手段による移動制御以外の外部からの力によって前記可動部材が前記所定の原点位置から移動することを抑制する移動抑制手段が設けられており、該移動抑制手段は、電気的駆動源の駆動に伴い回動する回動部材と、該回動部材の一部から延設する延設部と、該延設部から前記移動方向に対して垂直方向に突出する突出部と、前記回動部材の回動に伴い前記突出部が移動可能に挿入されるとともに前記突出部の周縁の少なくとも一部が当接する挿入開口部と、で構成され、前記回動部材から前記延設部の延設方向と前記移動方向とが平行である場合に、前記可動部材が前記所定の原点位置から移動することを抑制することを要旨とするものである。
【００１２】
また、可動部材と、該可動部材を所定の原点位置から所定の移動方向に向けて移動させるための移動機構部と、前記可動部材を移動させるために前記移動機構部を動かすための制御を行う移動制御手段と、を備え、前記可動部材および前記移動機構部に前記移動制御手段による移動制御以外の外部からの力によって前記可動部材が前記所定の原点位置から移動することを抑制する移動抑制手段が設けられており、該移動抑制手段は、電気的駆動源の駆動に伴い回動する回動部材と、該回動部材から前記移動方向に対して垂直方向に突出した突出部と、前記回動部材の回動に伴い前記突出部が移動可能に挿入されるとともに前記突出部の周縁の少なくとも一部が当接する挿入開口部と、で構成され、前記回動部材の回動中心および前記突出部の中心を通過する直線と、前記移動方向とが平行である場合に、前記可動部材が前記所定の原点位置から移動することを抑制することを要旨とするものである。
【００１３】
ここで、前記回動部材には、前記回動部材の回動中心から外側に向かって延設される延設部が形成され、前記突出部は前記延設部に形成されることが好ましい。そして、前記回動部材から前記延設部が延設する延設方向と、前記移動方向とが、平行である場合には、前記可動部材の前記所定の原点位置からの移動が抑制されることが好ましい。
【００１４】
また、前記移動機構部および前記可動部材のうち、一方には前記回動部材と前記突出部とが設けられ、他方には前記挿入開口部が設けられており、前記可動部材が前記所定の原点位置にある状態において、前記移動抑制手段は、前記可動部材を前記移動方向に移動させるための前記回動部材の回動を固定する固定手段を備えており、前記外部からの力により前記可動部材が前記移動方向に移動する際には前記固定手段による前記回動部材の回動の固定および前記突出部の縁が前記挿入開口部の縁に当接することにより前記可動部材が前記所定の原点位置から移動することを抑制する構成であることが好ましい。
【００１５】
ここで、前記固定手段は、前記回動部材が所定の位置に軸支されていることおよび前記突出部の自重により構成されていることが好ましい。そして、前記突出部は、前記突出部の自重によって前記挿入開口部の縁に当接することが好ましい。
【００１６】
前記移動機構部は前記可動部材の後方側に配設されており、前記可動部材の前記移動方向は、前記可動部材および前記移動機構部の配設方向と交差する方向となるように構成されていることが好ましい。
【発明の効果】
【００１７】
本発明によれば、前記構成を有し、回動部材から前記延設部の延設方向と前記移動方向とを平行とすることにより、または、回動部材の回動中心および前記突出部の略中心を通過する直線と前記移動方向とを平行とすることにより、可動部材が所定の原点位置から移動を防止または抑制することができる。このため、遊技機の外部からの力などによって、可動役物が所定の原点位置から移動することを防止または抑制することができる。
【００１８】
また、本発明によれば、外部からの力により可動部材が前記移動方向に移動する際には突出部の縁が挿入開口部の縁に当接するから、所定の原点位置において、可動部材の移動を防止または抑制することができる。さらに、同様に回動部材を固定することができる。
【００１９】
固定手段は、回動部材が所定の位置に軸支されていることおよび突出部の自重により構成されているから、固定手段は、突出部の自重によって可動部材の移動を防止または抑制することができる。
【００２０】
移動機構部は可動部材の後方側に配設されており、可動部材の移動方向は、可動部材および移動機構部の配設方向と交差する方向となるように構成されているから、可動部材は、可動部材および移動機構部の配設方向とは交差する方向に移動することができる。
【発明を実施するための最良の形態】
【００２１】
以下に、本発明の実施形態について、図面を参照して詳細に説明する。図１は、本発明の実施形態にかかる遊技機１を示した正面図である。図１に示すように、本発明の実施形態にかかる遊技機１は、パチンコ遊技機である。
【００２２】
本発明の実施形態にかかる遊技機１は、基枠２に装着される。基枠２は、略額縁状に形成され所定の奥行きを有する枠体である。基枠２の前面側には、この基枠２に対して開閉可能な前面枠３が設けられる。さらに、この前面枠３には、この前面枠３に対して開閉可能な透明板保持枠４が取り付けられる。具体的には、前面枠３は、基枠２の前面側の片側縁（本実施形態においては図１に向かって左側縁）に軸着されており、前方に向けて開閉可能に組み付けられる。また、透明板保持枠４は、前面枠３の片側縁（本実施形態においては図１に向かって左側縁）に軸着されており、前面枠３に対して前方に向けて開閉可能に組み付けられる。
【００２３】
なお、説明の便宜上、本発明の実施形態にかかる遊技機１においては、「遊技機の前面」とは遊技機の正面側（遊技者が遊技を行う側）をいうものとし、「遊技機の裏面または後方」とは、遊技機の背面側をいうものとする。また、遊技機の左側、右側、上側、下側とは、常態において遊技機を正面側（遊技者側）から見た場合における左側、右側、上側、下側をいうものとする。
【００２４】
図１に示すように、前面枠３には、透明板保持枠４の下方に、下皿部材５や発射ハンドル８などが設けられている。下皿部材５は、前面枠３に対して開閉可能なように、その片側縁（本実施形態においては左側縁）が前面枠３に軸着される。下皿部材５には、下皿１５や球抜き操作部１６などが設けられる。下皿１５は、払い出された遊技球のうち、上皿１２に入りきらない遊技球を貯めることができる。球抜き操作部１６は、これを操作することにより、下皿１５に貯まった遊技球を遊技機外部（に置かれた遊技球容器など）に流し落とすことができる。発射ハンドル８は、遊技球を発射するためのタッチスイッチなどを備える。
【００２５】
図１に示すように、透明板保持枠４には、ガラス板またはプラスチック板などの透明板２５が、遊技盤７の前面側に配設される。このため、透明板２５を通じて、本発明の実施形態にかかる遊技機１の前面側から遊技盤７を視認可能である。また、図１に示すように、透明板保持枠４には、上皿１２が一体的に形成される。この上皿１２は、遊技領域に発射するための遊技球を貯留することができる部分である。この上皿１２には、貯留されている遊技球を下皿１５に流下させるための上皿操作部１９や、貸出可能な貸し球を払い出すための球貸し操作部２０などが設けられている。また、透明板保持枠４の上部左右両側には、スピーカ１３，１３が設けられている。
【００２６】
遊技盤７は、前面枠３に着脱可能に取り付けられている。遊技盤７の周縁には、ガイドレール９，１０が、略円弧状に形成されている。このガイドレール９，１０は、発射装置から発射された遊技球をガイドするための部材であり、内側ガイドレール９と外側ガイドレール１０とからなる。遊技領域は、遊技盤７のガイドレール（内側ガイドレール９および外側ガイドレール１０）の一部によって囲まれた部分に形成される領域である。
【００２７】
遊技領域には、その中央に図柄などを表示する図柄表示装置２１が配設される。この図柄表示装置２１としては、液晶表示パネルが適用される。図柄表示装置２１の前面の一部と周囲には、センター役物５０が配設される。センター役物５０は、剣道面駆動役物５２と前面側装飾部材５３などを有する。剣道面駆動役物５２は、本発明の実施形態にかかる遊技機１の右側端部の第一原点位置（Ｐ１）と、この第一原点位置（Ｐ１）から左向きに所定の距離だけ離れた第二原点位置（Ｐ２）との間を、スライドするように左右に往復移動できる。遊技領域（のセンター役物５０以外の部分）には、始動入賞装置２２、特別入賞装置２３などの各種入賞装置が配設される。前面側装飾部材５３は、遊技盤７の前面に設けられており、その略中央には図柄表示装置２１を視認可能な開口部が形成され、図柄表示装置２１の周囲を装飾している。また、図示しないが、遊技盤面には複数の釘などが起立するように配設されている。
【００２８】
本発明の実施形態にかかる遊技機１は、発射ハンドル８の操作により、発射装置４３が遊技球を遊技領域に発射する。発射された遊技球は、遊技盤７の前面を転動しながら落下する。そして、落下する遊技球が、始動入賞装置２２、特別入賞装置２３などの入賞装置に入ると、所定の賞球遊技球が、遊技球払出口から払い出されるように構成される。
【００２９】
図２は、本発明の実施形態にかかる遊技機１の背面図である。図２に示すように、本発明の実施形態にかかる遊技機１の背面側には、枠用外部端子基板３０、図柄制御基板３１、主制御基板３２、音声制御基板３３、ランプ制御基板３４、払出制御基板３５、発射装置制御基板３６、電源基板３７などの各種基板が設けられる。さらに、カードインターフェース接続部３８、球寄せ３９、タンク４０、タンクレール４１、払出装置４２、発射装置４３などが設けられている。また、図２では記載を省略したが、本発明の実施形態にかかる遊技機１は、制御基板としてサブ制御基板４５を備える（図１５参照）。
【００３０】
図３は本発明の実施形態にかかる遊技機１のセンター役物５０を示す正面図である。図４は、本発明の実施形態にかかる遊技機１のセンター役物５０の背面図である。図５は、センター役物５０を前面側から見た分解斜視図である。図６は、センター役物５０を背面側から見た分解斜視図である。なお、これら図３〜図６においては、前面側装飾部材５３の記載は省略してある。
【００３１】
センター役物５０は、図３〜図６示すように、センターベース５１、剣道面駆動役物５２、前面側装飾部材５３（図略。図１参照）、移動機構部７０、発光体基板５５などを有する。センターベース５１は、主として他の各部材を取り付けるための枠体状の部材である。剣道面駆動役物５２は、遊技状態などに応じて左右にスライド往復移動する役物である。移動機構部７０は、剣道面駆動役物５２を左右にスライド往復移動させるための機構部である。発光体基板５５は、剣道面駆動役物５２に光を照射する発光体が実装されている基板である。
【００３２】
センターベース５１は、基本的には、横長の略長方形の枠体状に形成される部材であり、図柄表示装置２１の周囲を囲む形状に形成される。センターベース５１の中央部分には、図柄表示装置２１が見えるようにするための開口部６０が形成される。センターベース５１の背面側には、図４および図６に示すように、開口部６０の周囲に図柄表示装置２１を取り付けるための図柄表示装置取付部６０１が形成される。センターベース５１の前面側は、図３および図５に示すように、開口部６０の周囲が、各種の部品を取り付けたり収納したりするための額縁状の枠体６１として形成される。具体的にはこの枠体６１は、遊技盤面に略平行な面である平面部６２と、該平面部６２の外周縁から前面に向かって立設される側壁部６３とから構成されている。
【００３３】
センターベース５１の前面側右下には、移動機構部７０を取付け収納するための収納部６６が形成される。具体的には図３や図５に示すように、収納部６６は、枠体６１の下方に突出するような構成を有する。
【００３４】
また、センターベース５１の前面側上方の右端寄りには、図３〜図５に示すように、誘導部６５が設けられる。この誘導部６５は、剣道面駆動役物５２を駆動して左右に移動させる際のガイドとなる部位であり、剣道面駆動役物５２の被誘導部５２０がスライド的に係合するガイド溝として形成される。具体的には図５に示すように、前面側のカバー部材６５１とベース部材６５２とを有し、両部材６５１，６５２の間に、ガイド溝となる空間が形成される。このガイド溝は、下方と左右が開放（開口）している。
【００３５】
このカバー部材６５１は、センターベース５１の前面に着脱可能な部材であり、剣道面駆動役物５２の被誘導部５２０の前面側から前記ベース部材６５２の部分に、ネジなどにより固定される。これにより、剣道面駆動役物５２の被誘導部５２０が、誘導部６５のガイド溝に挟まれた（収納された）状態となる（図３および図５参照）。
【００３６】
センターベース５１の収納部６６の上方側には、発光体基板５５を取り付けるための発光体基板取付部６４が形成されている。発光体基板取付部６４の構成については後述する。
【００３７】
剣道面駆動役物５２は、「剣道面」の前面部分の形状を模して立体的形状に形成されている役物である。そして、センターベース５１の右側端部に配設されている。具体的には、剣道面駆動役物５２は、前面側装飾部材５３の開口部から一部が見えるように配設されている（図１参照）。剣道面駆動役物５２は、本発明の実施形態にかかる遊技機１の右側端部の第一原点位置（Ｐ１）と、この第一原点位置（Ｐ１）から左向きに所定の距離だけ離れた第二原点位置（Ｐ２）との間を、スライドするように往復移動できる。
【００３８】
剣道面駆動役物５２には、透光部５２１が形成される。本発明の実施形態においては、「剣道面」の「首」に相当する位置に、アルファベットの「Ｘ」字状の星形に形成される透光部５２１が設けられる構成を有する。この透光部５２１は、略透明または透明の透光部材からなる。この透光部５２１は、発光体基板５５に実装される発光体から照射される光を透過することができ、当該透光部５２１において、ランプが発光するように見える装飾部材として機能する。
【００３９】
剣道面駆動役物５２の背面側には、図６に示すように、透光部５２１を囲むように、三個の取付ボス５２２ａ，５２２ｂ，５２２ｃが形成されている。このうち、取付ボス５２２ａと取付ボス５２２ｃは、それぞれ透光部５２１の左右に形成され、取付ボス５２２ｂは透光部５２１の上側に形成される。なお、これら取付ボス５２２ａ，５２２ｂ，５２２ｃには、ネジ止めのための挿通孔がそれぞれ形成されている。
【００４０】
剣道面駆動役物５２の右側は、端部が直線状に形成されている。同様に、センターベース５１の右側壁部６３ａも、端部が直線状に形成されている。そして、剣道面駆動役物５２が第一原点位置（Ｐ１）にある状態においては、剣道面駆動役物５２の右側端部が、センターベース５１の右側壁部６３ａに近接した状態にある。このためこれらの間に大きな隙間はできない。
【００４１】
剣道面駆動役物５２の裏面側上部近傍には、被誘導部材５２０が設けられる。この被誘導部材５２０は、剣道面駆動役物５２が左右にスライド往復移動する際に、ガイドとなる部材である。具体的には、この被誘導部材５２０は、横長平板状の形状を有する部材である。一方、センターベース５１の枠体６１の右上の位置には、図５に示すように、誘導部６５が設けられる。この誘導部６５は、前記被誘導部材５２０がスライド的に係合することができるガイド溝である。
【００４２】
そして、被誘導部材５２０が誘導部６５に挿入されることによって、被誘導部材５２０がガイド溝に係合する。これにより、剣道面駆動役物５２の上部が保持され、剣道面駆動役物５２が前方に傾倒しないようになる。さらに、被誘導部材５２０は誘導部６５のガイド溝に係合した状態にあるから、剣道面駆動役物５２は、第一原点位置（Ｐ１）と第二原点位置（Ｐ２）との間を左右にスムーズに移動することができる。
【００４３】
剣道面駆動役物５２のスライド往復移動は、移動機構部７０が有する電気的駆動源（モータ）７２などによって電気的かつ自動的に行うことができる。また、後述する操作部を手動で（人力で）操作することによって、手動でスライド往復移動することもできる。本発明の実施形態にかかる遊技機１の遊技中に演出を行うことや、初期化などを行う場合には、剣道面駆動役物５２は、通常電気的にスライド往復移動させられる。また、本発明の実施形態にかかる遊技機１の製造（組立）や分解などの際には、剣道面駆動役物５２を手動で所定の原点位置（第一原点位置（Ｐ１）または第二原点位置（Ｐ２））などに移動させる。
【００４４】
図５および図６に示すように、発光体基板５５は、取付部７１５に対して剣道面駆動役物５２が固着されている方向と反対方向に配設されている。また剣道面駆動役物５２と移動機構部７０と発光体基板５５とセンターベース５１は、本発明の実施形態にかかる遊技機１の前後方向に重なるように取付けられている。この本発明の実施形態にかかる遊技機１の前後方向を、剣道面駆動役物５２の取付け方向という。剣道面駆動役物５２は、剣道面駆動役物５２の取付け方向に対し、直交する左右方向（直交方向）に移動する。ここでいう直交方向とは、真の直交方向からやや傾いた方向も含まれる。要するに剣道面駆動役物５２の移動方向は、直交方向に関わらず前記剣道面駆動役物５２の取付け方向と交差する方向であればよい。
【００４５】
また、図５および図６に示すように移動機構部７０は、可動部材７１の後方側（背面側）に配設されている。そして可動部材７１の移動方向は、可動部材７１および移動機構部７０の配設方向と交差するように構成されている。
【００４６】
図７は、発光体基板取付部６４および発光体基板５５の組み付け構成を、背面側から示した分解斜視図（部分拡大図）である。
【００４７】
図７に示すように、発光体基板取付部６４は、センターベース５１の収納部６６の上側の位置の、右隅部分に設けられたボス６４２と、左側の開口部６０側に突出する部分に設けられたボス６４１と、これらのボスどうしの間の位置に設けられた支持突起６４３とを有する。ボス６４１、ボス６４２には、ネジ止め用の穴が設けられている。更にボス６４１、ボス６４２と隣接する位置には突起６４４、６４５が設けられている。
【００４８】
発光体基板５５はプリント配線基板などであり、本体部５５０と連設部５５２とからなるとともに、切欠部５５１が形成される。本体部５５０は上に向かって凸となるように形成される部分である。連設部５５２は、本体部５５０の片側端部にＬ字形状に連設される部分である。切欠部５５１は、本体部５５０の中央部下辺が開口したような構成を有する。
【００４９】
本体部５５０には、切欠部５５１を挟んで左右の両側に、発光体としての第一のＬＥＤ（第一発光体）５５３と第二のＬＥＤ（第二発光体）５５４が、それぞれ一個ずつ実装される。具体的には、剣道面駆動役物５２が第一原点位置（Ｐ１）に位置している状態においては、透光部５２１の背面側に第一のＬＥＤ５５３が位置し、剣道面駆動役物５２が第二原点位置（Ｐ２）に位置している状態においては、透光部５２１の背面側に第二のＬＥＤ５５４が位置するように実装される。このような構成によれば、透光部５２１の背面側に位置する発光体（第一のＬＥＤ５５３または第二のＬＥＤ５５４）が発光すると、剣道面駆動役物５２が第一原点位置（Ｐ１）、第二原点位置（Ｐ２）のいずれに位置する場合であっても、剣道面駆動役物５２を前面から見ると、透光部５２１が発光しているように見える。
【００５０】
これら第一のＬＥＤ５５３および第二のＬＥＤ５５４は、連設部５５２に実装されるコネクタ５５５に、電気的に接続配線される。また、本体部５５０と連設部５５２には、取付用貫通孔５５６，５５８と、位置決め用貫通孔５５７，５５９が形成される。
【００５１】
切欠部５５１は、固着部となる剣道面駆動役物５２の取付ボス５２２ａおよび可動部材７１の取付部７１５の挿通孔７１７ａに、ネジ９４ａを挿入して剣道面駆動役物５２を固着することが可能な大きさに形成される。なお、切欠部５５１の代わりに、固着部における固着が可能である位置に、発光体基板５５の本体部５５０の表裏を貫通する貫通孔が形成される構成であってもよい。要は、固着部における固着が可能であるように、発光体基板５５の形状が形成されるものであればよい。
【００５２】
前記のように、センターベース５１の発光体基板取付部６４には、発光体基板５５の取付用貫通孔５５６，５５８が形成される位置に対応する位置にボス６４１，６４２が形成される。また、位置決め用貫通孔５５７，５５９が形成される位置に対応する位置に、突起６４４，６４５が形成される。そして、発光体基板５５は、ネジ９０，９１が取付用貫通孔５５６，５５８を通じてボス６４１，６４２にネジ止めされる。また、発光体基板５５の位置決め用貫通孔５５７，５５９には、それぞれ、発光体基板取付部６４の突起６４４，６４５の先端が嵌合する。これにより、発光体基板５５は、センターベース５１に対して位置決めされて固定される。
【００５３】
図８〜図１０は、移動機構部７０および可動部材７１の構成を示した図である。それぞれ、図８は、移動機構部７０における電気的駆動源（モータ）７２とモータ取付板７３の構成を示した外観斜視図である。図９は移動機構部７０における駆動ギア７６と被動ギア（回動部材）７７と検出スイッチを示す分解斜視図である。図１０は可動部材７１などの外観を示す斜視図である。
【００５４】
移動機構部７０は、電気的駆動源（モータ）７２、モータ取付板７３、第一検出スイッチ７４、第二検出スイッチ７５、駆動ギア７６、被動ギア（回動部材）７７を有する。そして、移動機構部７０は可動部材７１を所定の方向にスライド往復移動させることができる。
【００５５】
図８に示すように、電気的駆動源（モータ）７２には、ステッピングモータなど、公知の各種モータが適用できる。電気的駆動源（モータ）７２には、左右一対の取付部７２５，７２６が形成される。これらの取付部７２５，７２６は、電気的駆動源（モータ）７２の本体から延出する舌片状の部分である。これら取付部７２５，７２６には、取付孔７２１，７２２が形成される。また、電気的駆動源（モータ）７２はコネクタ７２４を備える。そして電気的駆動源（モータ）７２の回転軸７２３には駆動ギア７６が嵌合される（図９参照。図８においては隠れて見えない。）。
【００５６】
モータ取付板７３は、例えば金属からなる略平板状の部材である。このモータ取付板７３は、略方形のモータ取付部７３１と、モータ取付部７３１の上方に連設（延設）される被動ギア支持部７３２とを有する。モータ取付部７３１には、略中心に開口部７３３が形成される。この開口部７３３は、電気的駆動源（モータ）７２の回転軸７２３に駆動ギア７６（後述）を取り付けた状態で、電気的駆動源（モータ）７２の回転軸７２３および駆動ギア７６を挿通可能に形成される。電気的駆動源（モータ）７２の取付孔７２１，７２２にそれぞれネジ９２，９３を挿通させることにより、電気的駆動源（モータ）７２をモータ取付板７３のモータ取付部７３１に固定することができる。また、被動ギア支持部７３２には、後述する被動ギア（回動部材）７７の中心軸を軸支可能な貫通孔７３２ａが形成される。
【００５７】
そして、電気的駆動源（モータ）７２がモータ取付板７３のモータ取付部７３１に取り付けられた状態で、電気的駆動源（モータ）７２、モータ取付板７３、駆動ギア７６、被動ギア（回動部材）７７は、センターベース５１の収納部６６に取り付けられる。
【００５８】
図９に示すように、駆動ギア７６には一般的な円筒歯車が適用できる。
【００５９】
図９に示すように、被動ギア（回動部材）７７は、ギア部７７４と、延設部７７１と、突出部７７２とが形成される。また、中心軸７７５が端面から突出するように配設される。
【００６０】
ギア部７７４は、駆動ギア７６と噛合する部分であり、一般的な円筒歯車と同じ構成が適用できる。なお、ギア部７７４は、可動部材７１を人為的に移動させるために、指を掛けて被動ギア（回動部材）７７を回動させるための操作部としても機能する。すなわち、可動部材７１を人為的に移動させる場合は、被動ギア（回動部材）７７のギア部７７４を操作部として、ギア部７７４に指を掛けて被動ギア（回動部材）７７を回転させることができる。また可動部材７１を電気的に移動させる場合は、電気的駆動源（モータ）７２を電気的に回転させて駆動して、電気的に移動させることができる。この場合、移動機構部７０は電気移動部として機能する。
【００６１】
延設部７７１は、被動ギア（回動部材）７７の中心から半径方向外側に向かって延出する部分である。この延設部７７１は、ギア部７７４ではない部分に形成される。突出部７７２は延設部７７１に形成される部分であって、ギア部７７４のピッチ円筒の軸線（すなわち被動ギア（回動部材）７７の回転軸の軸線）と平行な方向に突出する部分である。なお、この突出部７７２は略円柱または略円筒形状を有する。
【００６２】
被動ギア（回動部材）７７の中心軸７７５は、前方にわずかに突出し、モータ取付板７３をセンターベース５１に取付けて組み立てた際に、モータ取付板７３に設けられた貫通孔７３２ａに嵌合する（図８参照)。
【００６３】
そしてこの突出部７７２には、円筒体７７３が遊嵌される。この円筒体７７３は略円筒形状の部材であり、その内径は、突出部７７２に遊挿可能な径に形成される。このため、この円筒体７７３は、突出部７７２に遊挿された状態で、突出部７７２の外周面上を自由に回転することができる。
【００６４】
図９に示すように、第一検出スイッチ７４と第二検出スイッチ７５は、それぞれ平板状の取付部７４２，７５２、検知部７４１，７５１、コネクタ７４３，７５３とを有する。検知部７４１、７５１は間隙に物体（具体的には被動ギア（回動部材）７７の延設部７７１）の有無を検出することができるセンサからなる。そして、取付部７４２，７５２に検知部７４１，７５１とコネクタ７４３，７５３とが実装される構成を有する。第一検出スイッチ７４と第二検出スイッチ７５は、被動ギア（回動部材）７７の左右にそれぞれ配設される。すなわち、第一検出スイッチ７４と第二検出スイッチ７５は、被動ギア（回動部材）７７を挟んで対向するように配設される。第一検出スイッチ７４および第二検出スイッチ７５は、取付部７４２、７５２がモータ取付板７３とセンターベース５１の収納部６６との間に固着されて、固定されている。
【００６５】
図９に示す状態において、被動ギア（回動部材）７７が右側に回動し、延設部７７１が第一検出スイッチ７４の検知部７４１に位置すると、第一検出スイッチ７４はオン（検出状態）になる。一方、被動ギア（回動部材）７７が左側に回動し、延設部７７１が第二検出スイッチ７５の検知部７５１に位置すると、第二検出スイッチ７５がオン（検出状態）になる。また、延設部７７１が第一検出スイッチ７４および第二検出スイッチ７５の検知部７４１、７５１のいずれの位置にもない場合は、第一検出スイッチ７４および第二検出スイッチ７５がオフ（非検出状態）となる。検出スイッチ７４、７５には、それぞれコネクタ７４３、７５３が設けられ、サブ制御基板４５の入力回路４５１に配線（図示しない）されて電気的に接続されている。検出スイッチ７４、７５は、検知部７４１、７５１により得られるオン／オフ信号を、サブ制御基板４５に送信することができる。
【００６６】
図１０は、可動部材７１およびこの可動部材７１に係合する各種部材を示す外観斜視図である。それぞれ図１０（ａ）は前面側から見た図、図１０（ｂ）は背面側から見た図である。図１０（ａ）、（ｂ）に示すように、可動部材７１は、移動部７１２と、取付部７１５と、挿入開口部７１６とを有する。そして、移動部７１２は移動軸７１１に係合しており、移動軸７１１に対してスライドするように往復動することができる。
【００６７】
なお、この移動軸７１１は円柱状または断面略円形の棒状の部材であり、センターベース５１に固定されている。具体的には、移動軸７１１の一端が右側端部７１３ｂとしてセンターベース５１に形成される移動軸固定穴６６１に挿入される。また、移動軸７１１の他端は、左側取付部７１３ａによりセンターベース５１に固定される。この左側取付部７１３ａは、移動軸７１１の前記他端（左側端部）をセンターベース５１に固定するために、センターベース５１に固定される部材である。これにより、移動軸７１１はセンターベース５１に固定される。
【００６８】
図１０（ａ）に示すように、移動部７１２は、前面側に向かって開口し内部が空洞である細長い略直方体形状に形成される部分である。長手方向各端面には、前面方向に向かって開口するように切り欠きが形成される。このため、移動部７１２は、その内部に移動軸７１１を収納し、移動軸７１１の両端が長手方向の各端面から突出するように、移動軸７１１に係合することができる。そして移動部７１２の軸線方向の各端部近傍には、軸受部７１４ａ、７１４ｂが配設される。これらの軸受部７１４ａ、７１４ｂは、略円筒形状に形成され、その一端にはフランジが形成される部材である。そしてその内部に移動軸７１１を挿通することができる。このため、可動部材７１（の移動部７１２）は、移動軸７１１の軸線方向に沿って、移動軸７１１上をスライドするように左右に往復移動することができる。
【００６９】
取付部７１５は、剣道面駆動役物５２を可動部材７１に固定するための部分である。この取付部７１５は移動部７１２の軸線方向（長手方向、本発明の実施形態にかかる遊技機１においては左右方向）に垂直な方向（上側）に延設される板状の部分である。そして、取付部７１５には、剣道面駆動役物５２を固定できるように、ネジを挿通するためのネジ孔７１７ａ、７１７ｂ、７１７ｃが形成される。また、取付部７１５には、発光体基板５５の第一のＬＥＤ５５３および第二のＬＥＤ５５４からの光を透過させるための四角形状の貫通孔７１８が形成される。
【００７０】
挿入開口部７１６は、移動機構部７０の突出部７７２と係合する部分である。この挿入開口部７１６は、可動部材７１の背面側に形成される。この挿入開口部７１６の形状は、移動部７１２の軸線方向（移動方向、すなわち本発明の実施形態にかかる遊技機１においては左右方向）に対して垂直方向（すなわち上下方向）に長い長孔状の部分である。この挿入開口部７１６の幅寸法（短辺寸法）は、移動機構部７０の突出部７７２に装着される円筒体７７３を遊挿気味に挿入できる程度の寸法であればよい。また、挿入開口部７１６の長手寸法（長辺寸法）は、被動ギア（回動部材）７７が回動した場合において、被動ギア（回動部材）７７が回動に伴う突出部７７２の上下動を許容することができる寸法であればよい。
【００７１】
図１１は、剣道面駆動役物５２を、センターベース５１に取り付ける前の状態を示した分解斜視図である。図１１に示すように、移動機構部７０、可動部材７１、移動軸７１１、左側取付部７１３ａがセンターベース５１に取り付けられた後に、剣道面駆動役物５２がセンターベース５１の背面側から固定される。
【００７２】
図１２は剣道面駆動役物５２や可動部材７１などを背面側から見た分解斜視図である。図１２に示すように、剣道面駆動役物５２の取付けボス５２２ａ，５２２ｂ，５２２ｃの挿通孔と取付部７１５の挿通孔７１７a，７１７ｂ，７１７ｃを合致させる。そして本発明の実施形態にかかる遊技機１の裏面側となる取付部７１５側から、三本のネジ９４ａ，９４ｂ，９４ｃを挿通孔７１７a，７１７ｂ，７１７ｃに挿通し、該挿通孔に対応する取付けボス５２２ａ，５２２ｂ，５２２ｃの挿通孔にネジ止めする。これにより、剣道面駆動役物５２と可動部材７１の取付部７１５とを固着することができる。したがって、剣道面駆動役物５２と可動部材７１とは、一体となって所定の方向に移動することができる。
【００７３】
挿入開口部７１６には、被動ギア（回動部材）７７の突出部７７２（に回動自在に挿通されている円筒体７７３）が係合している。被動ギア（回動部材）７７が回動すると円筒体７７３が挿入開口部７１６内を上下に動くと共に、移動部７１２は左右に移動する。
【００７４】
このような可動部材７１と移動機構部７０との組合せ構造において、可動部材７１が、振動、衝撃や外力などによって移動することが抑制または防止される仕組みについて説明する。振動、衝撃や外力などによって、可動部材７１が移動することを抑制または防止する移動抑制手段は、被動ギア（回動部材）７７と、この被動ギア（回動部材）７７から延設される延設部７７１と、この延設部７７１から突出する突出部７７２と、被動ギア（回動部材）７７に係合する可動部材７１の挿入開口部７１６とから構成される。
【００７５】
図１３は、移動機構部７０および可動部材７１を、本発明の実施形態にかかる遊技機１の背面側から示した平面図である。それぞれ、図１３（ａ）は、可動部材７１が第一原点位置（Ｐ１）に位置する状態を示す。図１３（ｂ）は、可動部材７１が第一原点位置（Ｐ１）と第二原点位置（Ｐ２）の間に位置する状態を示す。図１３（ｃ）は、可動部材７１が第二原点位置（Ｐ２）に位置する状態を示す。
【００７６】
図１３（ａ）に示す状態（すなわち、可動部材７１が第一原点位置（Ｐ１）にある状態）においては、被動ギア（回動部材）７７に形成される延設部７７１の延設方向と、可動部材７１の往復動方向とが平行になる。換言すると、この状態においては、被動ギア（回動部材）７７の回転中心および突出部７７２の中心を通過する直線と、可動部材７１の往復動方向とが平行になる。そして突出部７７２および突出部７７２に遊嵌される円筒体７７３の自重によって、突出部７７２に遊嵌される円筒体７７３の下端が、挿入開口部７１６の縁（内壁面側の底辺、底面）に当接している。なお、被動ギア（回動部材）７７が軸支されていることおよび突出部７７２の自重によって、被動ギア（回動部材）７７は固定されている。
【００７７】
この状態において、可動部材７１に振動、衝撃や外力などが加わった場合、可動部材７１は、移動軸７１１に沿って矢印Ｆの向きに移動しようとする。しかしながら、被動ギア（回動部材）７７の延設部７７１に形成される突出部７７２（の外周に遊嵌される円筒体７７３）が、挿入開口部７１６に当接している。かつ、この状態における突出部７７２の移動可能方向は、可動部材７１の移動可能方向に対して垂直である。また、被動ギア（回動部材）７７は固定されている。したがって、可動部材７１が外力などによって矢印Ｆの方向に移動しようとしても、被動ギア（回動部材）７７は当該外力などによっては回動することがないから、可動部材７１は移動することがない。なお、被動ギア（回動部材）７７が軸支されていることおよび突出部７７２の自重によって、被動ギア（回動部材）７７は固定されている。特に被動ギア（回動部材）７７は、延設部７７１および突出部７７２の自重によって、下向きに付勢され、付勢された状態で突出部７７２（に遊挿される円筒体７７３）が挿入開口部７１６の内面側の底面、底辺に当接しているから、被動ギア（回動部材）７７の回動が抑制または防止されるとともに、可動部材７１の移動が防止または抑制される。
【００７８】
図１３（ｃ）に示す状態（すなわち、可動部材７１が第二原点位置（Ｐ２）にある状態）においては、図１３（ａ）に示す状態と同様に、被動ギア（回動部材）７７に形成される延設部７７１の延設方向と、可動部材７１の往復動方向とが平行になる。すなわち、この状態においては、被動ギア（回動部材）７７の回転中心および突出部７７２の中心を通過する直線と、可動部材７１の往復動方向とが平行になる。そして突出部７７２および突出部７７２に遊嵌される円筒体７７３の自重によって、突出部７７２に遊嵌される円筒体７７３の下端が、挿入開口部７１６の縁（内壁面側の底辺、底面）に当接している。すなわち、被動ギア（回動部材）７７が軸支されていることおよび突出部７７２の自重によって、被動ギア（回動部材）７７は固定されている。
【００７９】
この状態において、可動部材７１に振動、衝撃や外力などが加わった場合、可動部材７１は、移動軸７１１に沿って矢印Ｇの向きに移動しようとする。しかしながら、被動ギア（回動部材）７７の延設部７７１に形成される突出部７７２（の外周に遊嵌される円筒体７７３）が、挿入開口部７１６に当接している。かつ、この状態における突出部７７２の移動可能方向は、可動部材７１の移動可能方向に対して垂直である。また、被動ギア（回動部材）７７は固定されている。すなわち、被動ギア（回動部材）７７が軸支されていることおよび突出部７７２の自重によって、被動ギア（回動部材）７７は固定されている。したがって、可動部材７１が外力などによって矢印Ｇの方向に移動しようとしても、被動ギア（回動部材）７７は当該外力などによっては回動することがないから、可動部材７１は移動することがない。特に被動ギア（回動部材）７７は、延設部７７１および突出部７７２の自重によって、下向きに付勢され、付勢された状態で突出部７７２（に遊挿される円筒体７７３）が挿入開口部７１６の内面側の底面、底辺に当接しているから、被動ギア（回動部材）７７の回動が抑制または防止されるとともに、可動部材７１の移動が防止または抑制される。
【００８０】
一方、図１３（ｂ）に示すように、可動部材７１が第一原点位置（Ｐ１）と第二原点位置（Ｐ２）の中間に位置する場合には、被動ギア（回動部材）７７に形成される延設部７７１の延設方向と、可動部材７１の往復動方向とが平行にならない。換言すると、この状態においては、被動ギア（回動部材）７７の回転中心および突出部７７２の中心を通過する直線と、可動部材７１の往復動方向とは平行にならない。
【００８１】
この状態において、可動部材７１に振動、衝撃や外力などが加わった場合、可動部材７１は、移動軸７１１に沿って矢印Ｈまたは矢印Ｉの向きに移動しようとする。そして、この状態における突出部７７２の移動可能方向は、可動部材７１の移動可能方向に対して所定の角度をもった方向であって垂直ではない。したがって、外力などによって可動部材７１が矢印Ｈまたは矢印Ｉの方向に押圧などされると、被動ギア（回動部材）７７の突出部７７２は可動部材７１の挿入開口部７１６の内壁面に押圧されて移動し、被動ギア（回動部材）７７は回転する。この結果、可動部材７１は矢印Ｈまたは矢印Ｉの向きに移動することができる。
【００８２】
しかしながら、可動部材７１と被動ギア（回動部材）７７が図１３（ｂ）に示すような状態にあると、被動ギア（回動部材）７７は、突出部７７２の自重によって自転する。このため、可動部材７１が第一原点位置（Ｐ１）と第二原点位置（Ｐ２）の中間の位置にある場合には、被動ギア（回動部材）７７の自転によって、第一原点位置（Ｐ１）または第二原点位置（Ｐ２）のいずれかに移動する。そして、可動部材７１が第一原点位置（Ｐ１）または第二原点位置（Ｐ２）のいずれかに位置すると、以降は前記のとおり、第一原点位置（Ｐ１）または第二原点位置（Ｐ２）において、移動が抑制または防止される。
【００８３】
以下、センター役物５０の組立方法について説明する。先ず図７に示すように発光体基板５５をセンターベース５１の発光体基板取付部６４に取り付ける。次に、第一検出スイッチ７４、第二検出スイッチ７５、被動ギア（回動部材）７７、駆動ギア７６をセンターベース５１の収納部６６の所定の位置に配置し、前面側から電気的駆動源（モータ）７２を取付けたモータ取付板７３を取付けて、前記第一検出スイッチ７４、第二検出スイッチ７５、被動ギア（回動部材）７７、駆動ギア７６を収納部６６に固定する。被動ギア（回動部材）７７は、中心軸７７５がモータ取付板７３の軸支穴７３２ａと、センターベース５１の収納部６６の取付面に設けられた軸支穴６６２によって軸支されている。
【００８４】
次いで可動部材７１を収納部６６に取付ける。図５に示すように、可動部材７１の取付は、先ず、移動軸７１１の右側端部７１３ｂをセンターベース５１の収納部６６に設けられている移動軸固定穴６６１に挿通して固定する。次に移動軸７１１の左側端の左側取付部７１３ａを収納部６６の移動軸左側固定部６６５の二つのボス６６３、６６４にネジ止めする。これらを取付けた状態は、図１２に示す通りである。
【００８５】
次いで、図１２に示すように剣道面駆動役物５２を可動部材７１の前方側から取付ける。この場合、図１１に示すように取付部７１５の挿通孔７１７ａ，７１７ｂ，７１７ｃと剣道面駆動役物５２の取付けボス５２２ａ，５２２ｂ，５２２ｃを各々合致するようにして、ネジ９４ａ，９４ｂ，９４ｃを本発明の実施形態にかかる遊技機１の背面側から挿入して、剣道面駆動役物５２と可動部材７１とを固着する。
【００８６】
図１２に示すように、剣道面駆動役物５２は、可動部材７１に固着した後、上部の被誘導部５２０をセンターベース５１のベース部材６５２の部分に当接させ、被誘導部５２０の前方からカバー部材６５１をネジ止めすることで、被誘導部５２０をカバー部材６５１とベース部材６５２との間にスライド可能に保持できる。また剣道面駆動役物５２をセンターベース５１に取付ける場合、予め、カバー部材６５１をベース部材６５２にネジ止めしておいて、下方に開口する開口部から剣道面駆動役物５２の被誘導部５２０を挿入した後、下方の取付けボス５２２ａ，５２２ｂ，５２２ｃの部分を取付部７１５に固着してもよい。
【００８７】
図１４（ａ）、（ｂ）は移動機構部７０および可動部材７１をセンター役物５０の裏面側から見た説明図であり、（ａ）は可動部材７１が第一原点位置（Ｐ１）にある場合を示し、（ｂ）は可動部材７１が第二原点位置（Ｐ２）にある場合を示す。図１４（ａ）に示すように、可動部材７１を本発明の実施形態にかかる遊技機１の背面側から見た場合、左端位置となる第一原点位置（Ｐ１）にある場合、可動部材７１の取付部７１５に設けた挿通孔７１７a，７１７ｂ，７１７ｃは、発光体基板取付部６４および発光体基板５５によって、隠蔽されている。そのため、本発明の実施形態にかかる遊技機１の背面側から挿通孔７１７a，７１７ｂ，７１７ｃにネジ９４ａ，９４ｂ，９４ｃを挿通することは困難な状態である。
【００８８】
そこで、被動ギア（回動部材）７７のギア部７７４に指を掛けて、被動ギア（回動部材）７７を人為的に、図中矢印Ｐ方向に回転させる。被動ギア（回動部材）７７を本発明の実施形態にかかる遊技機１の背面側から見て時計回りにほぼ１８０度回転させると、図１４（ｂ）に示すように、突出部７７２が挿入開口部７１６の縁を図中右側に押し出し、可動部材７１の取付部７１５を第二原点位置（Ｐ２）まで移動させる。取付部７１５は第二原点位置（Ｐ２）に移動した状態になると、図１４（ｂ）に示すように、挿通孔７１７a，７１７ｂ，７１７ｃが、隠蔽されていた状態から、本発明の実施形態にかかる遊技機１の背面側に露出した状態となる。具体的には、図１４（ｂ）に示すように、挿通孔７１７ａは、発光体基板５５の切欠部５５１の位置と重なり、挿通孔７１７ｂ、７１７ｃは、発光体基板５５および発光体基板取付部６４の外側周囲の位置となり、これらの部材によって隠蔽されない状態となる。その結果、剣道面駆動役物５２と取付部７１５の固着が可能となる。
【００８９】
図１４（ｂ）に示すように移動部７１２が第二原点位置（Ｐ２）に移動した際には、可動部材７１の取付部７１５の挿通孔７１７a，７１７ｂ，７１７ｃと剣道面駆動役物５２の取付けボス５２２ａ，５２２ｂ，５２２ｃを合致させた部分に、ネジ９４ａ，９４ｂ，９４ｃを挿入することが可能である。この第二原点位置（Ｐ２）にある状態で、図１２に示すように、ネジ９４ａ，９４ｂ，９４ｃを用いて、剣道面駆動役物５２を可動部材７１の取付部７１５に固着することができる。
【００９０】
可動部材７１は第一原点位置（Ｐ１）では図１０に示すように、移動軸７１１のほぼ右端のところに位置している。この状態においては剣道面駆動役物５２は、図１に示す第一原点位置（Ｐ１）にある。また可動部材７１は第二原点位置（Ｐ２）では、移動軸７１１のほぼ左端のところに位置している。この状態においては剣道面駆動役物５２は、図１に示す第二原点位置（Ｐ２）にある。
【００９１】
上記実施形態では、可動部材７１を第二原点位置（Ｐ２）とした場合に、固着部７１５となる３つの挿通孔７１７ａ，７１７ｂ，７１７ｃのうち、一つの挿通孔７１７ａの裏面側に、発光体基板５５の切欠部５５１（空間部）が重なり、両者の固着が可能となるように形成されている。そしてこの挿通孔７１７ａ以外の挿通孔７１７ｂ、７１７ｃは、第二原点位置（Ｐ２）では発光体基板５５の外方に位置することで、固着が可能となるものである。本発明は、このように固着部の挿通孔７１７ａ，７１７ｂ，７１７ｃの一つが少なくとも発光体基板５５の空間部と重なるように構成されていればよい。例えば、上記の固着部の挿通孔７１７ａ，７１７ｂ，７１７ｃの全てが、発光体基板５５の空間部と重なるように、発光体基板５５の形状や固着部の挿通孔の位置などを適宜形成してもよい。
【００９２】
図３、図４および図１４（ａ）に示すように、剣道面駆動役物５２が第一原点位置（Ｐ１）にあるときは、透光部５２１と第一のＬＥＤ５５３が前後方向で重なった状態となる。また図１４（ｂ）に示すように、剣道面駆動役物５２が第二原点位置（Ｐ２）にあるときは、透光部５２１と第二のＬＥＤ５５４が前後方向で重なった状態となる。そのため、剣道面駆動役物５２が第一原点位置（Ｐ１）、第二原点位置（Ｐ２）のいずれの位置にあるときも、発光体基板５５のＬＥＤが透光部５２１に光を照射することが可能である。
【００９３】
剣道面駆動役物５２が第一原点位置（Ｐ１）にある場合は、図９に示すように、被動ギア（回動部材）７７の延設部７７１が第一検出スイッチ７４の検知部７４１によって検知されている。本発明の実施形態にかかる遊技機１において、遊技中に剣道面駆動役物５２を演出する必要が生じた場合に、剣道面駆動役物５２を電気的に移動させる。以下、剣道面駆動役物５２を電気的に移動させる場合について説明する。
【００９４】
サブ制御基板４５（図１５参照）から移動制御手段７８に制御信号を送信する。移動制御手段７８は、制御信号に基づいて、電気的駆動源（モータ）７２に駆動信号を送信する。電気的駆動源（モータ）７２は駆動信号により回転し駆動ギア７６を回転させる。図１４に示すように、駆動ギア７６が例えば反時計方向（矢印Ｑ方向）に回転すると、該駆動ギア７６と噛合する被動ギア（回動部材）７７は時計方向（矢印Ｐ方向）に回転する。被動ギア（回動部材）７７の突出部７７２、円筒体７７３は移動部７１２の挿入開口部７１６内を上方向に移動すると共に、可動部材７１を左方向（図中右側）に移動させる。剣道面駆動役物５２は、可動部材７１の取付部７１５に固着されているので、可動部材７１と共に左方向へ移動する。
【００９５】
被動ギア（回動部材）７７がほぼ１８０度回転し、延設部７７１が第二検出スイッチ７５の検知部７５１によって検知されると、サブ制御基板４５に検知信号が送信される。サブ制御基板４５は、検知信号を受け取ると、移動制御手段７８に駆動停止信号を送信して、移動制御手段７８は電気的駆動源（モータ）７２の駆動を停止する。電気的駆動源（モータ）７２の回転が停止して可動部材７１の移動が停止し、剣道面駆動役物５２の停止した位置が、第二原点位置である。第二原点位置から第一原点位置へ剣道面駆動役物５２を移動させる場合は、上記と逆の操作を行う。
【００９６】
図１５は、本発明の実施形態にかかる遊技機１の制御回路の構成を示すブロック図である。主制御基板３２は、本発明の実施形態にかかる遊技機１の各種機器を制御するための基本回路が設けられている。主制御基板３２は、制御プログラムが記録されたＲＯＭ３２１、その制御プログラムに従って制御動作を行うＣＰＵ３２２、ＲＡＭ３２３、入出力回路（Ｉ／Ｏポート）３２４、３２５等を備えている。主制御基板３２は、遊技球が始動入賞装置２２に入賞した際に特別遊技状態（大当り）を実行するか否かの当否判定を行う。具体的には、始動入賞口の遊技球が入賞したことに起因して大当り乱数テーブルから一の乱数を選択し、その乱数が大当りに該当するか否かを判定する。
【００９７】
主制御基板３２は、サブ制御基板４５が接続されている。サブ制御基板４５は出力回路４５２に、音声制御基板３３、ランプ制御基板３４、図柄制御基板３１、移動制御手段７８等が接続されている。音声制御基板３３には、スピーカ１３が接続されている。ランプ制御基板３４には、第一のＬＥＤ５５３、第二のＬＥＤ５５４、その他のランプ、ＬＥＤ等の装飾ランプ１４が接続されている。図柄制御基板３１には、図柄表示装置２１等の特別図柄表示装置や、普通図柄表示装置などが接続されている。またサブ制御基板４５の入力回路４５１には、第一検出スイッチ７４、第二検出スイッチ７５が接続されている。サブ制御基板４５の出力回路４５２には、移動機構部７０を制御する移動制御手段７８が接続されており、さらに移動制御手段７８には、電気的駆動源（モータ）７２が接続されている。
【００９８】
サブ制御基板４５では、主制御基板３２から出力されたコマンドに応じて、抽選等を実行し、その抽選結果に応じた所定のパターンで、装飾ランプ１４を発光させたり、スピーカ１３から音声を発生させたり、特別図柄表示装置（図柄表示装置２１）や普通図柄表示装置の図柄表示等を行う。
【００９９】
次に、本発明の実施形態にかかる遊技機１において、剣道面駆動役物５２を移動させる際の面駆動処理について説明する。図１６は、面駆動処理のフローチャートである。面駆動処理Ｓ１００は、図１６に示すように、先ず、面駆動予告判定処理（Ｓ１１０）を行う。この処理Ｓ１１０は、主制御基板３２からサブ制御基板４５に送信された変動信号に応じて、本発明の実施形態にかかる遊技機１における演出として、剣道面駆動役物５２を移動させる予告処理をするか否かを決めるために、サブ制御基板４５内で抽選を行う。この抽選結果が、剣道面駆動役物５２を移動させる予告（面駆動予告ということもある）に当選した場合（ｙ）、次の原点検知処理（Ｓ１２０）に進む。
【０１００】
原点検知処理（Ｓ１２０）は、第一検出スイッチ７４が、被動ギア（回動部材）７７の延設部７７１を検知しているか否かを判断する。第一検出スイッチ７４が、延設部７７１を検知していない場合（ｎ）は、電気的駆動源（モータ）７２を正回転させる（Ｓ１２５）。尚、電気的駆動源（モータ）７２の正回転は、本発明の実施形態にかかる遊技機１の後方から見て時計回りの回転である。電気的駆動源（モータ）７２を正回転させると駆動ギア７６も同時に正回転する。駆動ギア７６が正回転すると、駆動ギア７６に噛合する被動ギア（回動部材）７７は反回転する。被動ギア（回動部材）７７の反回転は、本発明の実施形態にかかる遊技機１の後方から見て反時計回りの回転である。被動ギア（回動部材）７７が反回転すると、延設部７７１は第一検出スイッチ７４側に移動する。
【０１０１】
本発明の実施形態にかかる遊技機１では、面駆動予告の演出を行う場合以外（通常時）は、剣道面駆動役物５２が第一原点位置（Ｐ１）に位置するように構成されている。これは、剣道面駆動役物５２がこの第一原点位置（Ｐ１）以外にあると、不自然に見えるからである。そのため、面駆動予告の演出を行う場合以外は、剣道面駆動役物５２を第一原点位置（Ｐ１）に戻す必要がある。Ｓ１２５の処理は、剣道面駆動役物５２を第一原点位置（Ｐ１）に戻す処理である。Ｓ１２０において、第一検出スイッチ７４が、被動ギア（回動部材）７７の延設部７７１を検出している場合（ｙ）、次の処理Ｓ１３０で電気的駆動源（モータ）７２を反回転させる。
【０１０２】
Ｓ１３０で電気的駆動源（モータ）７２を反回転させると、駆動ギア７６も同時に反回転し、駆動ギア７６に噛合している被動ギア（回動部材）７７が正回転する。被動ギア（回動部材）７７が正回転すると、被動ギア（回動部材）７７の延設部７７１の突出部７７２に係合している可動部材７１（の挿入開口部７１６）および剣道面駆動役物５２は左側（第二原点位置方向）へ移動する。次にＳ１４０では、第二検出スイッチ７５が延設部７７１を検知しているか否かを判断する（原点検知）。Ｓ１４０で第二検出スイッチ７５が延設部７７１を検知していないと判断した場合（ｎ）、前のＳ１３０の処理に戻り電気的駆動源（モータ）７２を継続して反回転させる。一方、剣道面駆動役物５２が第二原点位置まで到達し、Ｓ１４０で第二検出スイッチ７５が延設部７７１を検知していると判断した場合（ｙ）、次のＳ１５０の処理に進み、電気的駆動源（モータ）７２を正回転する。Ｓ１５０で電気的駆動源（モータ）７２を正回転させると、剣道面駆動役物５２は右側（第一原点位置方向）に移動する。尚、電気的駆動源（モータ）７２の正回転および反回転等の回転制御は、上記したように、サブ制御基板４５のＣＰＵによって行われる。
【０１０３】
次にＳ１６０では、第一検出スイッチ７４が被動ギア（回動部材）７７の延設部７７１を検知しているか否かを判断する（原点検知）。第一検出スイッチ７４が延設部７７１を検知していないと判断した場合（ｎ）、Ｓ１５０に戻り電気的駆動源（モータ）７２の正回転を続ける。すなわち剣道面駆動役物５２は右側に向かって移動を続ける。一方Ｓ１６０において、第一検出スイッチ７４が延設部７７１を検知していると判断した場合（ｙ）、電気的駆動源（モータ）７２を停止して処理を終了する。すなわち、剣道面駆動役物５２は、第一原点位置（Ｐ１）に停止する。
【０１０４】
図１７は面部ＬＥＤ発光処理のフローチャートである。剣道面駆動役物５２の透光部５２１を発光させる処理（以下、面部ＬＥＤ発光処理ということもある。）Ｓ２００は、剣道面駆動役物５２が第一原点位置（Ｐ１）および第二原点位置（Ｐ２）の各々の位置にある場合に、透光部５２１を発光させるための処理である。図１７に示すように、まず、第一検出スイッチ７４による延設部７７１の検知の有無を判別する処理（Ｓ２１０）を行う。Ｓ２１０において、第一検出スイッチ７４で被動ギア（回動部材）７７の延設部７７１の検知が有る場合（ｙ）、検知信号をランプ制御基板３４に送信し、第一のＬＥＤ５５３を発光させる（Ｓ２３０）。第一のＬＥＤ５５３が発光すると、剣道面駆動役物５２の透光部５２１が発光した光を透過するので、透光部５２１が点灯する。
【０１０５】
Ｓ２１０において、第一検出スイッチ７４の検知が無い場合（ｎ）、第二検出スイッチ７５による延設部７７１の検知の有無を判別する処理を行う（Ｓ２２０）。Ｓ２２０において、第二検出スイッチ７５の検知がある場合（ｙ）、検知信号をランプ制御基板３４に送信し、第二のＬＥＤ５５４を発光させる（Ｓ２４０）。第二のＬＥＤ５５４が発光すると、剣道面駆動役物５２の透光部５２１が第二のＬＥＤ５５４で発光した光を透過するので、透光部５２１は点灯する。
【０１０６】
図１６の面駆動処理と図１７の面部ＬＥＤ発光処理は、以下の通りこれらの処理を組み合わせて行われる。遊技球を遊技盤７に発射して、遊技球が始動入賞装置２２に入賞すると、主制御基板３２で大当りの当否判定を行い、サブ制御基板４５で予告抽選を行い、面駆動予告に当選した場合に面駆動処理を行う。面駆動処理を行うと、剣道面駆動役物５２は第一原点位置（Ｐ１）から左側へ移動する。そして剣道面駆動役物５２が第二原点位置（Ｐ２）まで移動すると、そこから反対に右側へ移動して第一原点位置（Ｐ１）に戻る。この場合、剣道面駆動役物５２が第一原点位置（Ｐ１）、および第二原点位置（Ｐ２）にある時に、各位置で透光部５２１から発光するので、透光部５２１は点灯する。
【０１０７】
尚、本実施形態では、剣道面駆動役物５２が動く起因は、面駆動予告に当選した場合としているが、これに限定されず、その他の起因によってもよい。例えば、遊技者が本発明の実施形態にかかる遊技機１の下皿１５の左側に配設したボタンを押し下げることにより、剣道面駆動役物５２が駆動するようにしてもよい。この場合、ボタンを１回押すと第一原点位置（Ｐ１）から第二原点位置（Ｐ２）に移動し、ボタンをもう一度押すと第一原点位置（Ｐ１）に移動するように構成してもよい。
【０１０８】
また大当り中は、常に剣道面駆動役物５２が第二原点位置（Ｐ２）に移動するようにして、大当り終了後に第一原点位置（Ｐ１）に移動するように構成してもよい。この場合、主制御基板３２からサブ制御基板４５に、大当り開始コマンドが送信された場合に、電気的駆動源（モータ）７２を駆動して剣道面駆動役物５２を第二原点位置（Ｐ２）に移動させる。サブ制御基板４５に大当り終了コマンドが送信された場合、剣道面駆動役物５２を第一原点位置（Ｐ１）に移動させる。
【０１０９】
また、大当り中に限らず、図柄変動が時間短縮変動している場合や、大当り確率が高確率状態となる確率変動状態に、剣道面駆動役物５２が第二原点位置（Ｐ２）に移動するように構成してもよい。
【０１１０】
また、本発明の実施形態にかかる遊技機１の内部にタイマを設けて、タイマにより剣道面駆動役物５２の駆動タイミングを制御して、所定時間毎に剣道面駆動役物５２が第一原点位置（Ｐ１）になったり、第二原点位置（Ｐ２）になったりする様に構成してもよい。具体的に、所定の時間として、朝一の開店時や、正午時等に、剣道面駆動役物５２を第二原点位置に移動させ、１０分後に第一原点位置（Ｐ１）に戻るように構成してもよい。
【０１１１】
また本実施形態では、剣道面駆動役物５２の透光部５２１は、剣道面駆動役物５２が第一原点位置（Ｐ１）と第二原点位置（Ｐ２）の各々の位置にあるときに点灯するようにしているが、第一原点位置（Ｐ１）では消灯し、第二原点位置（Ｐ２）で点灯する場合と点灯しない場合を選択するように構成してもよい。この場合、剣道面駆動役物５２の透光部５２１が第二原点位置（Ｐ２）で点灯しない場合は期待度があまり高くないが、透光部５２１が第二原点位置（Ｐ２）で点灯する場合は期待度が高くなるように、予告演出を構成してもよい。
【０１１２】
本発明の実施形態にかかる遊技機１は、パチンコ遊技機を例として説明したが、本発明の実施形態にかかる遊技機１は、パチンコ遊技機に限られるものではなく、たとえばスロットマシンなどに適用しても良い。
【図面の簡単な説明】
【０１１３】
【図１】本発明の実施形態にかかる遊技機を示す正面図である。
【図２】本発明の実施形態にかかる遊技機の背面図である。
【図３】本発明の実施形態にかかる遊技機のセンター役物を示す正面図である。
【図４】センター役物の背面図である。
【図５】センター役物を前面側から見た分解斜視図である。
【図６】センター役物を裏面側から見た分解斜視図である。
【図７】発光体基板の取付け状態を示す分解斜視図である。
【図８】電気的駆動源（モータ）とモータ取付板を示す斜視図である。
【図９】駆動ギアと被動ギア（回動部材）と検出スイッチを示す分解斜視図である。
【図１０】可動部材７１およびこの可動部材７１に係合する部材を示した外観斜視図であり、（ａ）は前面側から見た図、（ｂ）は背面側から見た図である。
【図１１】剣道面駆動役物をセンターベースに取付ける前の状態を示す斜視図である。
【図１２】剣道面駆動役物と可動部材を後方側から見た斜視図である。
【図１３】移動機構部７０および可動部材７１を、本発明の実施形態にかかる遊技機１の背面側から示した平面図であり、（ａ）は可動部材７１が第一原点位置にある状態を示し、（ｂ）は可動部材７１が第一原点位置と第二原点位置との間にある状態を示し、（ｃ）は可動部材７１が第二原点位置にある状態を示す。
【図１４】（ａ）、（ｂ）は移動軸部をセンター役物の裏面側から見た説明図であり、（ａ）は移動軸部が第一原点位置にある場合を示し、（ｂ）は移動軸部が第二原点位置にある場合を示している。
【図１５】本発明の実施形態にかかる遊技機の制御回路の構成を示すブロック図である。
【図１６】面駆動処理のフローチャートである。
【図１７】面部ＬＥＤ発光処理のフローチャートである。
【符号の説明】
【０１１４】
１  本発明の実施形態にかかる遊技機
７  遊技盤
５０  センター役物
５１  センターベース
５２  剣道面駆動役物
５２１  透光部
５２２ａ，５２２ｂ，５２２ｃ  取付ボス
５５  発光体基板
５５０  本体部
５５１  切欠部
５５３  第一のＬＥＤ(発光体）
５５４  第二のＬＥＤ(発光体）
７０  移動機構部
７１   可動部材
７１１  移動軸
７１２  移動部
７１５  第1部材取付部
７１６  挿入開口部
７１７ａ，７１７ｂ，７１７ｃ  挿通孔
７２  電気的駆動源（モータ）
７６  駆動ギア
７７  被動ギア（回動部材）
７７１  延設部
７７２  突出部
７７３  円筒体
７７４  ギア部
【図１】
2009195263.tif 000003
【図２】
2009195263.tif 000004
【図３】
2009195263.tif 000005
【図４】
2009195263.tif 000006
【図５】
2009195263.tif 000007
【図６】
2009195263.tif 000008
【図７】
2009195263.tif 000009
【図８】
2009195263.tif 000010
【図９】
2009195263.tif 000011
【図１０】
2009195263.tif 000012
【図１１】
2009195263.tif 000013
【図１２】
2009195263.tif 000014
【図１３】
2009195263.tif 000015
【図１４】
2009195263.tif 000016
【図１５】
2009195263.tif 000017
【図１６】
2009195263.tif 000018
【図１７】
2009195263.tif 000019